(57)【要約】【課題】ハート型、星型、クローバー型など所望の断面形状を有するレモンを効率的に生産することができ、安価で、取付け作業が容易なレモン栽培容器を提供する。【解決手段】所定の断面形状のレモンを生産するためのレモン栽培容器１であって、分割された一対の上型１１及び下型１３からなり、これを合せることで内部に前記断面形状の空間が形成される底面が開口した有頂筒形状の容器本体３と、前記容器本体３が開かないように容器本体３を外部から締付け固定する固定バンド５と、を備え、前記容器本体３は、レモンの木の枝が通過可能な孔が設けられた天井面を備える一方で、底面は開口しており、前記容器本体３内でレモンを生育させることで所定の断面形状のレモンが得られる。【選択図】図１
0003186786.tif 000002
【実用新案登録請求の範囲】
【請求項１】
所定の断面形状のレモンを生産するためのレモン栽培容器であって、
分割された一対の型からなり、これを合せることで内部に前記断面形状の空間が形成される底面が開口した有頂筒形状の容器本体と、
前記容器本体が開かないように容器本体を外部から締付け固定する固定バンドと、を備え、
前記容器本体は、天井面にレモンの木の枝が通過可能な孔を有し、
前記容器本体内でレモンを生育させることで所定の断面形状のレモンが得られることを特徴とするレモン栽培容器。
【請求項２】
前記容器本体の内部空間は、大きさ及び形状が長手方向で同一であり、
前記容器本体の長さＬは、レモンの長さＬ０の１．２〜２倍であることを特徴とする請求項１に記載のレモン栽培容器。
【請求項３】
前記一対の型は、それぞれの外壁面の長手方向に少なくとも１以上の補強リブを備え、
前記一対の型を合せてなる容器本体の横断面において、前記各補強リブの最先端部が、容器本体の中心から同一の距離にあることを特徴とする請求項１又は２に記載のレモン栽培容器。
【請求項４】
前記一対の型は、それぞれの合せ面に相互に係止する段差部を有することを特徴とする請求項１から３のいずれか１項に記載のレモン栽培容器。
【請求項５】
前記容器本体の外壁面には、前記固定バンドを取付ける位置を示す目印が設けられていることを特徴とする請求項１から４のいずれか１項に記載のレモン栽培容器。
【請求項６】
前記容器本体の内壁面には、レモンの大きさに基づく収穫時期を示す目印が設けられていることを特徴とする請求項１から５のいずれか１項に記載のレモン栽培容器。
【請求項７】
前記所定の断面形状が、少なくともハート型、星型、クローバー型のいずれか１の断面形状であることを特徴とする請求項１から６のいずれか１項に記載のレモン栽培容器。
【請求項８】
前記容器本体の内壁面には、凸状の文字及び／又は図形を有するシールが貼付され、レモンの外果皮に前記文字及び／又は図形が転写可能なことを特徴とする請求項１から７のいずれか１項に記載のレモン栽培容器。
【考案の詳細な説明】
【技術分野】
【０００１】
本考案は、ハート型、星型、クローバー型など所望の断面形状を有するレモンを生産するためのレモン栽培容器に関する。
【背景技術】
【０００２】
農産物に決まった形状を与え、付加価値を高める手法がきゅうり、スイカなどいくつかの農産物で知られている。それらの中でレモンを型に入れ決まった形状を付与することが行われてきた。
【０００３】
例えば、数本の柱状のジグにより、部分的に生育を抑制することで、例えばハート型形状、星型形状のレモンを生産できることが知られている（例えば特許文献１、２参照）。特許文献１、２に記載の方法は、部分的に生育を抑制しているだけなのでジグにより押さえられていない部分、即ち抑制していない部分の形状は決まったものにならず、この部分が肥大して大きくなりすぎるとハート形状とは認められず不良となる。また適正な大きさに生長したとしても、形状が左右対称になっていないとハート形状とは認められず、同じく不良となる。そのため取付けた型に対する良品の割合が低くなる問題があった。
【０００４】
一方、所望の形状の空間内で農産物を生育させるための容器も多く提案されている。例えば、スイカ、メロン等をハート形に栽培することができる栽培容器が考案されている（例えば特許文献３、４参照）。
【０００５】
特許文献３に記載の栽培容器は、天板２枚、底板２枚、側板２枚からなりこれらをボルト止めすることで内部にハート形の空間を形成し、この空間内でスイカ、メロン等を生育させハート形のスイカ、メロン等を収穫するものである。
【０００６】
特許文献４に記載の栽培容器は、害虫の被害を最小限に抑え、収穫物を所望の形状とするためのものであり、左右一対の形成子を可撓性部材で連結し、この容器で生長過程の農作物を挟み込み、農作物を生育させる。同時に、容器内に害虫が侵入しないような工夫がされている。ここで使用する容器は、透明な合成樹脂容器、細菌による腐敗を防止するためにセラミックスを混入させた合成樹脂容器が好ましいとある。
【先行技術文献】
【特許文献】
【０００７】
【特許文献１】実用新案登録第３０９１５９７号公報
【特許文献２】実用新案登録第３０９１５９８号公報
【特許文献３】実用新案登録第３１３４６１２号公報
【特許文献４】特開２００４−９７０９２号公報
【考案の概要】
【考案が解決しようとする課題】
【０００８】
特許文献３に記載の栽培容器は、特許文献１及び２記載の方法と異なり、ハート型形状が一定した農産物を得ることができるが、栽培容器が多数の部品で構成されているため製造コストが高くなる。さらに部品数が多く、ボルトナットで組み立てるため、組み立て作業に多くの労力を必要とする。
【０００９】
特許文献４に記載の栽培容器は、構造がシンプルであり、取付け作業等も容易であるが、この栽培容器はキューリやナス等への適用が想定されており、レモンに適用するには、強度不足が懸念される。一方、この容器をレモンに適用すべく強度を確保しようとすると、形成子さらには可撓性部材、係止手段等を頑丈に補強する必要が生じ、容器が大型化しコスト高となる。さらに容器が重くなるので、レモンに直接吊下げることができない。
【００１０】
本考案の目的は、ハート型、星型、クローバー型など所望の断面形状を有するレモンを効率的に生産することができ、安価で、取付け作業が容易なレモン栽培容器を提供することである。
【課題を解決するための手段】
【００１１】
本考案は、所定の断面形状のレモンを生産するためのレモン栽培容器であって、分割された一対の型からなり、これを合せることで内部に前記断面形状の空間が形成される底面が開口した有頂筒形状の容器本体と、前記容器本体が開かないように容器本体を外部から締付け固定する固定バンドと、を備え、前記容器本体は、天井面にレモンの木の枝が通過可能な孔を有し、前記容器本体内でレモンを生育させることで所定の断面形状のレモンが得られることを特徴とするレモン栽培容器である。
【００１２】
本考案のレモン栽培容器は、数本の柱状のジグにより、部分的に生長を抑制する方法でなくレモン全体を型で挟み込むため、完全に同じ断面形状のレモンを高い良品率で生産することができる。生長が盛んでレモンが肥大する場合もこの方法によれば，不良とならない。また本考案のレモン栽培容器は、生育初期のレモンを一対の型で挟むことのみで枝に直接取付けることができるので、紐で吊るす工程が不要であり取付け作業が容易である。
【００１３】
また容器本体を構成する型自身に係止手段を設けレモンを挟み込むと、レモンの生育肥大化に伴い型が変形し、規定の形状を保てなくなるばかりでなく、場合によっては型自身が破壊する。それに対して本考案のレモン栽培容器は、容器本体を強固な金属製の固定バンドで締め付けるので、肥大する力を固定バンドで受け止めることが可能であり、容器本体の形状の変形及び破壊を止めることができる。また、固定バンドが補強材としても機能するので、容器本体を極端に肉厚にする必要がなく、軽量化することができる。
【００１４】
本考案のレモン栽培容器において、前記容器本体の内部空間は、大きさ及び形状が長手方向で同一であり、前記容器本体の長さＬは、レモンの長さＬ０の１．２〜２倍であることを特徴とする。
【００１５】
本考案によれば、容器本体の長さが、レモンの長さ以上であるのでレモンの中央部が長くなり、レモンを輪切りにして使用するとき、従来の方法で得られるレモンに比べ所定の断面形状のレモン片を多く得ることができる。さらに容器本体の長さが、レモンの長さの１．２〜２倍あるので、レモンに風雨が当たらずまた虫の侵入を防ぐことができる。これにより病気及び傷の発生を抑制することができる。
【００１６】
また本考案のレモン栽培容器において、前記一対の型は、それぞれの外壁面の長手方向に少なくとも１以上の補強リブを備え、前記一対の型を合せてなる容器本体の横断面において、前記各補強リブの最先端部が、容器本体の中心から同一の距離にあることを特徴とする。
【００１７】
本考案によれば、型に設けられた複数の補強リブの最先端部が、容器本体の中心から同一の距離にあるので、型を合せ、固定バンドを装着したとき、固定バンドの締付力が補強リブに均等に加わる。このため容器本体が開かないようにしっかりと締付けることができる。
【００１８】
また本考案のレモン栽培容器において、前記一対の型は、それぞれの合せ面に相互に係止する段差部を有することを特徴とする。
【００１９】
本考案によれば、一対の型の合せ面が鉤方形状であるので、一対の型を合わせたときにすべることなく、片手でしっかり保持固定することができる。このため取り付け作業が非常に楽で生産性が向上する。
【００２０】
また本考案のレモン栽培容器において、前記容器本体の外壁面には、前記固定バンドを取付ける位置を示す目印が設けられていることを特徴とする。
【００２１】
本考案によれば、レモンの肥大する力を受け止めるに適正な位置に目印を設け、その位置に固定バンドを取付けるので、容器本体が開かないようにしっかりと締付けることができる。
【００２２】
また本考案のレモン栽培容器において、前記容器本体の内壁面には、レモンの大きさに基づく収穫時期を示す目印が設けられていることを特徴とする。
【００２３】
本考案によれば、容器本体の内側に大きさに基づく収穫時期を示す目印が設けられているので、容器本体の中にあるレモン全体を視認することができなくても、大きさが分かり収穫時期を判断できる。これにより大きさを一定にすることができ生産性が向上する。
【００２４】
また本考案のレモン栽培容器において、前記所定の断面形状が、少なくともハート型、星型、クローバー型のいずれか１の断面形状であることを特徴とする。
【００２５】
本考案のレモン栽培容器を使用することでハート型、星型又はクローバー型レモンを効率的に生産することができる。
【００２６】
また本考案のレモン栽培容器において、前記容器本体の内壁面には、凸状の文字及び／又は図形を有するシールが貼付され、レモンの外果皮に前記文字及び／又は図形が転写可能なことを特徴とする。
【００２７】
本考案によれば、レモンの表面に凹状の文字及び／又は図形が描かれたレモンを生産することができるので、贈答用のレモンなどとして利用することが可能であり、商品価値が向上する。
【考案の効果】
【００２８】
本考案のレモン栽培容器を使用することで、ハート型、星型、クローバー型など所望の断面形状を有するレモンを効率的に生産することができる。また本考案のレモン栽培容器は構造が簡単で安価であり、さらに取付け作業も容易である。
【図面の簡単な説明】
【００２９】
【図１】本考案の実施の一形態としてのレモン栽培容器１の斜視図である。
【図２】図１のレモン栽培容器１の容器本体の上型１１の斜視図である。
【図３】図１のレモン栽培容器１の容器本体の下型１３の斜視図である。
【図４】図１のレモン栽培容器１の容器本体３を図１のＡ方向から見た図である。
【図５】図１のレモン栽培容器１の容器本体３を図１の切断線Ｂ−Ｂで切断した断面図である。
【図６】図１のレモン栽培容器１を生育初期のレモン１０１に取付けた状態を示す図である。
【図７】図１のレモン栽培容器１内で収穫可能な大きさまで生育したレモン１０３を示す図である。
【図８】図１のレモン栽培容器１を使用して生産されたレモン１０３の断面図である。
【考案を実施するための形態】
【００３０】
図１は、本考案の実施の一形態としてのレモン栽培容器１の斜視図、図２は、レモン栽培容器１の容器本体の上型１１の斜視図、図３は、レモン栽培容器１の容器本体の下型１３の斜視図、図４は、レモン栽培容器１の容器本体３を図１のＡ方向から見た図、図５は、レモン栽培容器１の容器本体３を図１の切断線Ｂ−Ｂで切断した断面図である。また、図６は、レモン栽培容器１を生育初期のレモン１０１に取付けた状態を示す図、図７は、レモン栽培容器１内で収穫可能な大きさまで生育したレモン１０３を示す図、図８は、レモン栽培容器１を使用して生産されたレモン１０３の断面図である。なお、図６及び図７では、上型１１を取り去った状態で示す。
【００３１】
レモン栽培容器１（以下、栽培容器１と記す）は、横断面形状がハート型のレモン１０３を生産するための容器であり、生育初期のレモン１０１にこの栽培容器１を取付け、レモンをこの栽培容器１内で生育させることで、横断面形状がハート型のレモン１０３を生産することができる。
【００３２】
栽培容器１は、分割された一対の型からなり、これを合せることで内部に断面がハート型の空間が形成される容器本体３と、容器本体３が開かないように容器本体３を外部から締付け固定する固定バンド５とを含む。
【００３３】
容器本体３は、ハート型の上方を形作る上型１１と、ハート型の下方を形作る下型１３とを合せることで形成される、底面が開口した有頂筒形状容器である。容器本体３の大きさ（長さＬ）は、生育させるレモン１０３の長さＬ０の１．２〜２倍、好ましくは１．２〜１．５倍である。ここで容器本体３の長さＬは、栽培容器１の内部空間の長さをいい、レモン１０３の長さＬ０は、収穫可能な大きさとなったときのレモン１０３の長さをいう。
【００３４】
容器本体３の長さＬをレモン１０３の長さＬ０の１．２倍以上とすることで、レモン１０３の中央部の長さを長くすることができる。これによりレモン１０３を輪切りにして使用するとき従来の方法で得られるレモンに比べ、ハート型レモン片を多く得ることができる。さらに容器本体３の長さＬが長くレモン１０３に直接、風雨が当たらず、また虫の侵入を防ぐことができるので病気及び傷の発生を抑制することができる。一方、容器本体３の長さＬがレモン１０３の長さＬ０の２倍を超えると、容器本体３が重くなりレモンの木に負担がかかる。またコストの点においても不経済である。
【００３５】
上型１１は、合成樹脂材からなり、長手方向の形状が同一であり、長手方向の一端部には、長手方向外壁面１５に直交するように壁面１７が設けられている。上型１１の長手方向の他端部１９は開口している。下型１３も上型１１と同様に、合成樹脂材からなり、長手方向の形状が同一であり、長手方向の一端部には、長手方向外壁面２１に直交するように壁面２３が設けられ、長手方向の他端部２５は開口している。上型１１及び下型１３を形成する合成樹脂材は、特定の材料に限定されるものではないが、機械的強度が強く変形し難く、耐候性に優れ、軽く、安価なものが好ましい。例えばＡＢＳ樹脂を好適に使用することができる。
【００３６】
上型の壁面１７及び下型の壁面２３は、生育初期のレモン１０１に取付けられるとき天井面となる部分であり、下型の壁面２３の端辺３１には、レモン１０１、１０３を吊るすべくレモンの木の枝１０５が入る切欠き部３３が設けられている。一方、上型の壁面１７の端辺２７には、下型の切欠き部３３の一部を塞ぐ突起２９が設けられている。
【００３７】
上型１１の下型１３との合せ面３５には、下型１３の合せ面３９と係止する段差部３７が全周に設けられている。下型１３も上型１１と同様に、合せ面３９には、上型１１の合せ面３５と係止する段差部４１が全周に設けられている。上型１１の段差部３７と下型１３の段差部４１とは、段差が内外逆に設けられており、上型１１と下型１３とを合せると互いの段差部３７、４１が係止する。
【００３８】
上型１１の長手方向外壁面１５の中心部には、長手方向に平行に板状の補強リブ４３が設けられている。一方、下型１３の長手方向外壁面２１には、左右同じ位置に長手方向に平行に板状の補強リブ４５（４５ａ、４５ｂ）が設けられている。補強リブ４３、４５を設けることで上型１１及び下型１３の変形を防止することができる。また上型１１及び下型１３の厚さを薄くすることができるので、容器本体３を軽量化することができる。
【００３９】
補強リブ４３及び補強リブ４５（４５ａ、４５ｂ）の最先端部は、上型１１と下型１３とを合せた容器本体３の横断面において、中心から同一の距離となるように設けられている。このため容器本体３に固定バンド５を取付けたとき、固定バンド５の締付力が補強リブ４３、４５に均等に加わる。これにより容器本体３が開かないようにしっかりと締付けることができる。
【００４０】
また上型１１の長手方向外壁面１５は、固定バンド５を取付ける位置を示す目印線４７（４７ａ、４７ｂ）が２箇所設けられている。固定バンド５は、この目印線４７を覆うように取付けられる。この目印線４７は、容器本体３を締め付けるうえで、最も適切な位置に設けられており、結果、容器本体３が開かないようにしっかりと締付けることができる。
【００４１】
上型１１の長手方向内壁面４９及び下型１３の長手方向内壁面５１には、上型の端部１９及び下型の端部２５から同じ距離に僅かに突起した線５５が形成されている。上型１１と下型１３とを合せると線５５は、つながる。この線５５は、容器本体３内で生育されたレモン１０３の収穫時期を知らしめる目印線５７であり、容器本体３内でレモン１０３が目印線５７を覆うまで生長した時点で収穫される。
【００４２】
以上からなる上型１１及び下型１３は、形状が比較的単純であるので、射出成形等により簡単に成形することができる。
【００４３】
固定バンド５は、上型１１と下型１３とを合せた容器本体３が開かないように固定するためのバンドであり、公知のホースバンドを使用することができる。固定バンド５は、上型１１の長手方向外壁面１５に設けられた目印線４７を覆うように取付けられる。容器本体３内で育成されるレモンは、生長に伴い容器本体３を大きな力で押すので、固定バンド５は、容器本体３が開かないようにしっかりと締付ける力が必要である。
【００４４】
栽培容器１の使用方法を説明する。生育途中の大人の親指程度の大きさのレモン１０１に対して、上型１１及び下型１３を左右から互いが突き当たるように覆い被せる。容器本体３は、上型１１と下型１３との合せ面３５、３９が鉤方形状であるので相互の位置は、簡単に決まる。その後、目印線４７の位置に合せ２本の固定バンド５をしっかりと締付ける。この状態で手を離すと、レモンのガク１０７に容器本体３の天井面が引掛り、容器本体３の取付けが終了する。生育初期のレモン１０１を型で挟むことのみで枝１０５に直接、容器本体３を取付けることができるので、従来法で見られた紐で吊るす工程を省略することができ、生産効率が向上する。栽培容器１は、容器本体３及び固定バンド５の重量が軽いので、レモン１０１にレモン栽培容器１をぶら下げることができる。
【００４５】
容器本体３内でレモン１０１、１０３を生育させ、レモン１０３が、容器本体３内の目印線５７を覆った時点で収穫する。容器本体３の底面は開口しているので、定期的に容器本体３の底面側から内部をのぞき込めば、レモン１０３が、容器本体３内の目印線５７を覆ったか否か簡単に分かる。容器本体３に生育状況を確認するための目印線５７を設けることで、容器本体３内のレモン１０３の全体を視認できなくてもレモン１０３の肥大状況がわかり収穫時期を判断することができる。これによりレモン１０３の大きさを一定にすることが可能となり、生産性が向上する。
【００４６】
レモン１０３が、容器本体３内の目印線５７を覆ったら、固定バンド５を外し、上型１１と下型１３とを開くことで簡単にレモン１０３を取出すことができる。容器本体３は、上型１１と下型１３との合せ面３５、３９が鉤方形状であるので、型を合わせたときに滑ることなく、片手でしっかり保持し固定することができ取付け、取外しが簡単である。
【００４７】
以上のようにレモン栽培容器１は、構造が簡単で取付け、取外し作業が容易であり、ハート型の断面形状を有するレモン１０３を効率的に生産することができる。また容器本体３内に収穫時期を知らしめる目印線５７が設けられているので、大きさが等しいレモン１０３を収穫することができる。
【００４８】
上記実施形態では、断面形状がハート型のレモンを取り上げたが、本考案のレモン栽培容器１は、断面形状はハート型に限定されるものではなく、容器本体３の断面形状を変更することで断面形状が星型のレモン、クローバー型のレモンなどの生産に使用することができる。
【００４９】
また上型１１又は下型１３の内壁面４９、５１に文字又は図形が突出したシールを貼付けてレモン１０３を生育させれば、当該文字又は図形に接するレモン１０３の外果皮１０４が凹み、レモン１０３の果皮に文字又は図形を転写させることができる。これによりレモンの商品価値が上がる。
【符号の説明】
【００５０】
１  レモン栽培容器
３  容器本体
５  固定バンド
１１  上型
１３  下型
１５  上型長手方向外壁面
１７  上型端部壁面
１９  上型他端部
２１  下型長手方向外壁面
２３  下型端部壁面
２５  下型他端部
３５  上型の合せ面
３７  上型の合せ面の段差部
３９  下型の合せ面
４１  下型の合せ面の段差部
４３  上型の補強リブ
４５ａ、４５ｂ  下型の補強リブ
４７ａ、４７ｂ  固定バンド取付け位置目印線
４９  上型の長手方向内壁面
５１  下型の長手方向内壁面
５７  目印線
１０１  生育初期のレモン
１０３  収穫可能な大きさまで生育したレモン
【図１】
0003186786.tif 000003
【図２】
0003186786.tif 000004
【図３】
0003186786.tif 000005
【図４】
0003186786.tif 000006
【図５】
0003186786.tif 000007
【図６】
0003186786.tif 000008
【図７】
0003186786.tif 000009
【図８】
0003186786.tif 000010